(57)【要約】  【課題】  コンテンツデータの利用を予め指定した利用場所内に制限することを可能にするデータ処理システムを提供する。  【解決手段】  処理装置１１がユーザの購入操作に応じてコンテンツの利用場所を規定した利用場所指定データをメモリカード１０に書き込む。ユーザは、メモリカード１０を端末装置１５に装着し、位置検出装置１６からの位置データＬＤとメモリカード１０に記憶された利用場所指定データとを基に、サーバ１７から受信したコンテンツデータの利用を利用場所指定データで指定された場所に制限する。  【選択図】  図１
2005056204.tif 000002
【特許請求の範囲】
【請求項１】
コンテンツ利用装置にコンテンツデータを提供するコンテンツ提供装置と、
前記コンテンツ利用装置による前記コンテンツデータの利用が許可される場所を示す利用場所指定データと前記コンテンツ利用装置の位置データとを基に、前記コンテンツ提供装置から受けた前記コンテンツデータを利用可能であると判断すると、当該コンテンツデータを利用する処理を行う前記コンテンツ利用装置と
を有するデータ処理システム。
【請求項２】
予め規定された前記コンテンツデータの利用場所とその決済価格とを示す対応データを基に、前記コンテンツ利用装置のユーザが指定した利用場所に対応する前記決済価格で決済を行い、当該指定した利用場所を示す前記利用場所指定データを生成する処理装置
をさらに有する請求項１に記載のデータ処理システム。
【請求項３】
前記コンテンツ利用装置は、前記コンテンツデータの利用に対して行った決済を証明す
る決済証明データを前記コンテンツ提供装置に提供し、
前記コンテンツ提供装置は、前記コンテンツ利用装置から受けた前記決済証明データの
正当性を検証した後に、前記コンテンツデータを前記コンテンツ利用装置に提供する
請求項１に記載のデータ処理システム。
【請求項４】
コンテンツ提供装置からコンテンツ利用装置にコンテンツデータを提供する第１の工程と、
前記コンテンツ利用装置による前記コンテンツデータの利用が許可される場所を示す利用場所指定データと前記コンテンツ利用装置の位置を示す位置データとを基に、前記第１の工程で前記コンテンツ提供装置から受けた前記コンテンツデータを利用可能である否かを前記コンテンツ利用装置が判断する第２の工程と、
前記第２の工程で前記コンテンツ利用装置が前記利用可能であると判断すると、当該コ
ンテンツデータを前記コンテンツ利用装置が利用する処理を行う第３の工程と
を有するデータ処理方法。
【請求項５】
コンテンツデータを利用するデータ処理装置であって、
前記コンテンツデータを受信する受信手段と、
前記コンテンツデータの利用が許可される場所を示す利用場所指定データと前記データ処理装置の位置を示す位置データとを基に、前記受信手段が受信した前記コンテンツデータを利用可能であると判断すると、当該コンテンツデータを利用する処理を行う処理手段
とを有するデータ処理装置。
【請求項６】
コンテンツデータを利用するデータ処理装置によって実行されるプログラムであって、
前記コンテンツデータの利用が許可される場所を示す利用場所指定データと前記データ処理装置の位置を示す位置データとを基に、前記コンテンツデータの利用が可能であるか否かを判断する第１の手順と、
前記第１の手順で前記コンテンツデータの利用が可能であると判断すると、当該コンテンツデータを利用する処理を行う第２の手順と
を前記データ処理装置に実行させるプログラム。
【請求項７】
コンテンツデータの利用が許可される場所を示す利用場所指定データとコンテンツ利用装置の位置を示す位置データとをコンテンツ提供装置に提供し、前記コンテンツ提供装置から受けた前記コンテンツデータを利用する処理を行う前記コンテンツ利用装置と、
前記コンテンツ利用装置から受けた前記利用場所指定データと前記位置データとを基に、前記コンテンツ利用装置への前記コンテンツデータの提供を許可すると判断すると、前記コンテンツ利用装置にコンテンツデータを提供する前記コンテンツ提供装置と
を有するデータ処理システム。
【請求項８】
前記コンテンツ提供装置は、ストリーミングにより前記コンテンツデータを前記コンテ
ンツ利用装置に提供する
請求項７に記載のデータ処理システム。
【請求項９】
コンテンツデータの利用が許可される場所を示す利用場所指定データとコンテンツ利用装置の位置を示す位置データとをコンテンツ利用装置からコンテンツ提供装置に提供する第１の工程と、
前記第１の工程で前記コンテンツ利用装置から受けた前記利用場所指定データと前記位置データとを基に、前記コンテンツ利用装置への前記コンテンツデータの提供を許可するか否かを前記コンテンツ提供装置が判断する第２の工程と、
前記第２の工程で前記許可すると判断すると、前記コンテンツ提供装置が前記コンテンツ利用装置に前記コンテンツデータを提供する第３の工程と、
前記コンテンツ利用装置が前記第３の工程で受けた前記コンテンツデータを利用する第４の工程と
を有するデータ処理方法。
【請求項１０】
コンテンツデータを利用するデータ処理装置であって、
コンテンツデータの利用が許可される場所を示す利用場所指定データと前記データ処理装置の位置を示す位置データとをコンテンツ提供装置に送信し、前記コンテンツ提供装置から前記コンテンツデータを受信するインタフェースと、
前記インタフェースを介して受信した前記コンテンツデータを利用する処理手段と
を有するデータ処理装置。
【請求項１１】
コンテンツデータを利用するデータ処理装置によって実行されるプログラムであって、
コンテンツデータの利用が許可される場所を示す利用場所指定データと前記データ処理装置の位置を示す位置データとをコンテンツ提供装置に送信する第１の手順と、
前記第１の手順に続いて前記コンテンツ提供装置から前記コンテンツデータを受信する第２の手順と、
前記第２の手順で受信した前記コンテンツデータを利用する第３の手順と
を前記データ処理装置に実行させる
プログラム。
【請求項１２】
コンテンツデータの利用が許可される場所を示す利用場所指定データとコンテンツ利用装置の位置を示す位置データとをコンテンツ利用装置から受信するインタフェースと、
前記インタフェースが受信した前記利用場所指定データと前記位置データとを基に、前記コンテンツ利用装置への前記コンテンツデータの提供を許可すると判断すると、前記インタフェースを介して前記コンテンツ利用装置に前記コンテンツデータを提供する処理手段と
を有するデータ処理装置。
【請求項１３】
コンテンツデータをコンテンツ利用装置に提供するデータ処理装置によって実行されるプログラムであって、
コンテンツデータの利用が許可される場所を示す利用場所指定データと前記コンテンツ利用装置の位置を示す位置データとを前記コンテンツ利用装置から受信する第１の手順と、
前記第１の手順で受信した前記利用場所指定データと前記位置データとを基に、前記コンテンツ利用装置への前記コンテンツデータの提供を許可するか否かを判断する第２の手順と、
前記第２の手順で前記許可すると判断すると、前記コンテンツ利用装置に前記コンテンツデータを提供する第３の手順と
を前記データ処理装置に実行させるプログラム。
【請求項１４】
コンテンツ利用装置にコンテンツデータを提供するコンテンツ提供装置と、
前記コンテンツ提供装置から受けた前記コンテンツデータを利用し、前記コンテンツ利用装置の位置を示す位置データと当該コンテンツ利用装置の識別データとを基に、前記コンテンツ利用装置による前記コンテンツデータの利用に対しての課金データを生成し、当該課金データを前記コンテンツ提供装置に提供する前記コンテンツ利用装置と
を有するデータ処理システム。
【請求項１５】
コンテンツ提供装置からコンテンツ利用装置にコンテンツデータを提供する第１の工程と、
前記第１の工程で前記コンテンツ提供装置から受けた前記コンテンツデータを利用する第２の工程と、
前記コンテンツ利用装置の位置を示す位置データと当該コンテンツ利用装置の識別データとを基に、前記第２の工程における前記コンテンツデータの利用に対しての課金データを生成する第３の工程と、
前記第３の工程で生成した前記課金データを前記コンテンツ提供装置に提供する第４の工程と
を有するデータ処理方法。
【請求項１６】
コンテンツデータを利用するデータ処理装置であって、
コンテンツデータを受信するインタフェースと、
前記インタフェースを介して受信した前記コンテンツデータを利用し、前記データ処理装置の位置を示す位置データと当該データ処理装置の識別データとを基に、前記データ処理装置による前記コンテンツデータの利用に対しての課金データを生成し、当該課金データを前記インタフェースを介して送信する処理手段と
を有するデータ処理装置。
【請求項１７】
コンテンツデータを利用するデータ処理装置によって実行されるプログラムであって、
コンテンツデータを受信する第１の手順と、
前記第１の手順で受信した前記コンテンツデータを利用する第２の手順と、
前記コンテンツ利用装置の位置を示す位置データと当該コンテンツ利用装置の識別データとを基に、前記コンテンツ利用装置による前記コンテンツデータの利用に対しての課金データを生成し、当該課金データを前記インタフェースを介して送信する第３の手順と
を前記データ処理装置に実行させるプログラム。
【請求項１８】
コンテンツ利用装置の位置を示す位置データと当該コンテンツ利用装置の識別データとをコンテンツ提供装置に提供し、前記コンテンツ提供装置から受けた前記コンテンツデータを利用する処理を行う前記コンテンツ利用装置と、
前記コンテンツ利用装置に前記コンテンツデータを提供し、前記コンテンツ利用装置から受けた前記位置データおよび前記識別データを基に、予め決められた地域における前記コンテンツ利用装置による前記コンテンツデータの利用状況を特定し、当該特定した利用状況を基に前記コンテンツ利用装置による前記コンテンツデータの利用に対しての課金処理を行う前記コンテンツ提供装置と
を有するデータ処理システム。
【請求項１９】
コンテンツ利用装置の位置を示す位置データと当該コンテンツ利用装置の識別データとを前記コンテンツ利用装置からコンテンツ提供装置に提供する第１の工程と、
前記コンテンツ提供装置から前記コンテンツ利用装置に前記コンテンツデータを提供し
、前記コンテンツ利用装置が前記コンテンツ提供装置から受けた前記コンテンツデータを利用する処理を行う第２の工程と、
前記コンテンツ提供装置が、前記第１の工程で前記コンテンツ利用装置から受けた前記
位置データおよび前記識別データを基に、予め決められた地域における前記コンテンツ利用装置による前記コンテンツデータの利用状況を特定し、当該特定した利用状況を基に前記コンテンツ利用装置による前記コンテンツデータの利用に対しての課金処理を行う第３の工程と
を有するデータ処理方法。
【請求項２０】
コンテンツ利用装置の位置を示す位置データと当該コンテンツ利用装置の識別データとを前記コンテンツ利用装置から受信するインタフェースと、
前記インタフェースを介して前記コンテンツデータを前記コンテンツ利用装置に送信し
、前記インタフェースを介して受信した前記位置データおよび前記識別データを基に、予め決められた地域における前記コンテンツ利用装置による前記コンテンツデータの利用状況を特定し、当該特定した利用状況を基に前記コンテンツ利用装置による前記コンテンツデータの利用に対しての課金処理を行う処理手段と
を有するデータ処理装置。
【請求項２１】
コンテンツデータをコンテンツ利用装置に提供するデータ処理装置によって実行されるプログラムであって、
前記コンテンツ利用装置に前記コンテンツデータを送信する第１の手順と、
前記コンテンツ利用装置の位置を示す位置データと当該コンテンツ利用装置の識別データとを前記コンテンツ利用装置から受信する第２の手順と、
前記第２の手順で受信した前記位置データおよび前記識別データを基に、予め決められた地域における前記コンテンツ利用装置による前記コンテンツデータの利用状況を特定し、当該特定した利用状況を基に前記コンテンツ利用装置による前記第１の手順で送信した前記コンテンツデータの利用に対しての課金処理を行う第３の手順と
を前記データ処理装置に実行させるプログラム。
【発明の詳細な説明】
【技術分野】
【０００１】
本発明は、端末などのコンテンツ利用装置の位置に応じてコンテンツデータの利用を制限するデータ処理システム、その方法、そのデータ処理装置およびプログラムに関する。
【背景技術】
【０００２】
例えば、サーバなどのコンテンツ提供装置が、ユーザの端末装置などのコンテンツ利用装置にコンテンツデータを配信する配信システムがある。
このようなコンテンツ配信システムでは、ユーザに対してコンテンツデータの利用に関しての決済などの処理を経た後に、コンテンツ提供装置からコンテンツ利用装置にコンテンツデータを配信したり、コンテンツデータの配信後に当該ユーザに対して課金手続を行う。
コンテンツ利用装置における上記コンテンツデータの利用は、例えば、無制限であったり、あるいは、利用時間に制限が付けられる場合がある。
【発明の開示】
【発明が解決しようとする課題】
【０００３】
ところで、地方情報や観光情報などに関するコンテンツデータは、それを利用する地域によって価値が異なり、その販売価格などに応じて、当該コンテンツデータの利用を許可する場所を制限したいという要請がある。
また、その他の場合にも、コンテンツデータの利用場所を制限したいという要請がある。
また、ユーザによってコンテンツデータが利用された場所に応じた金額を、当該ユーザに請求したい場合がある。
【０００４】
本発明は、上述した従来技術に鑑みて成され、第１〜第１０の発明は、コンテンツデータの利用を予め指定した利用場所内に制限することを可能にするデータ処理システム、その方法、その装置およびそのプログラムを提供することを目的とする。
また、第１１〜第１８の発明は、ユーザによってコンテンツデータが利用された場所に応じた金額を、当該ユーザに請求できるデータ処理システム、その方法、その装置およびそのプログラムを提供することを目的とする。
【課題を解決するための手段】
【０００５】
第１の発明のデータ処理システムは、コンテンツ利用装置にコンテンツデータを提供するコンテンツ提供装置と、前記コンテンツ利用装置による前記コンテンツデータの利用が許可される場所を示す利用場所指定データと前記コンテンツ利用装置の位置データとを基に、前記コンテンツ提供装置から受けた前記コンテンツデータを利用可能であると判断すると、当該コンテンツデータを利用する処理を行う前記コンテンツ利用装置とを有する。      
【０００６】
第１の発明のデータ処理システムの作用は以下のようになる。
コンテンツ提供装置が、コンテンツ利用装置にコンテンツデータを提供する。
そして、前記コンテンツ利用装置が、前記コンテンツ利用装置による前記コンテンツデータの利用が許可される場所を示す利用場所指定データと前記コンテンツ利用装置の位置データとを基に、前記コンテンツ提供装置から受けた前記コンテンツデータを利用可能であるか否かを判断する。
前記コンテンツ利用装置は、利用可能であると上記判断すると、当該コンテンツデータを利用する処理を行う。
【０００７】
第２の発明のデータ処理方法は、コンテンツ提供装置からコンテンツ利用装置にコンテンツデータを提供する第１の工程と、前記コンテンツ利用装置による前記コンテンツデータの利用が許可される場所を示す利用場所指定データと前記コンテンツ利用装置の位置を示す位置データとを基に、前記第１の工程で前記コンテンツ提供装置から受けた前記コンテンツデータを利用可能である否かを前記コンテンツ利用装置が判断する第２の工程と、前記第２の工程で前記コンテンツ利用装置が前記利用可能であると判断すると、当該コンテンツデータを前記コンテンツ利用装置が利用する処理を行う第３の工程とを有する。
【０００８】
第２の発明のデータ処理方法の作用は以下のようになる。
先ず、第１の工程において、コンテンツ提供装置からコンテンツ利用装置にコンテンツデータを提供する。
次に、第２の工程において、前記コンテンツ利用装置による前記コンテンツデータの利用が許可される場所を示す利用場所指定データと前記コンテンツ利用装置の位置を示す位置データとを基に、前記第１の工程で前記コンテンツ提供装置から受けた前記コンテンツデータを利用可能である否かを前記コンテンツ利用装置が判断する。
次に、第３の工程において、前記第２の工程で前記コンテンツ利用装置が前記利用可能であると判断すると、当該コンテンツデータを前記コンテンツ利用装置が利用する処理を行う。
【０００９】
第３の発明のデータ処理装置は、コンテンツデータを利用するデータ処理装置であって、前記コンテンツデータを受信する受信手段と、前記コンテンツデータの利用が許可される場所を示す利用場所指定データと前記データ処理装置の位置を示す位置データとを基に、前記受信手段が受信した前記コンテンツデータを利用可能であると判断すると、当該コンテンツデータを利用する処理を行う処理手段とを有する。
【００１０】
第３の発明のデータ処理装置の作用は以下のようになる。
受信手段が、コンテンツデータを受信する。
そして、処理手段が、前記コンテンツデータの利用が許可される場所を示す利用場所指定データと前記データ処理装置の位置を示す位置データとを基に、前記受信手段が受信した前記コンテンツデータを利用可能であると判断すると、当該コンテンツデータを利用する処理を行う。
【００１１】
第４の発明のプログラムは、コンテンツデータを利用するデータ処理装置によって実行されるプログラムであって、前記コンテンツデータの利用が許可される場所を示す利用場所指定データと前記データ処理装置の位置を示す位置データとを基に、前記コンテンツデータの利用が可能であるか否かを判断する第１の手順と、前記第１の手順で前記コンテンツデータの利用が可能であると判断すると、当該コンテンツデータを利用する処理を行う第２の手順とを前記データ処理装置に実行させる。
【００１２】
第５の発明のデータ処理システムは、コンテンツデータの利用が許可される場所を示す利用場所指定データとコンテンツ利用装置の位置を示す位置データとをコンテンツ提供装置に提供し、前記コンテンツ提供装置から受けた前記コンテンツデータを利用する処理を行う前記コンテンツ利用装置と、前記コンテンツ利用装置から受けた前記利用場所指定データと前記位置データとを基に、前記コンテンツ利用装置への前記コンテンツデータの提供を許可すると判断すると、前記コンテンツ利用装置にコンテンツデータを提供する前記コンテンツ提供装置とを有する。
【００１３】
第５の発明のデータ処理システムの作用は以下のようになる。
コンテンツ利用装置が、コンテンツデータの利用が許可される場所を示す利用場所指定データとコンテンツ利用装置の位置を示す位置データとをコンテンツ提供装置に提供する。
前記コンテンツ提供装置が、前記コンテンツ利用装置から受けた前記利用場所指定データと前記位置データとを基に、前記コンテンツ利用装置への前記コンテンツデータの提供を許可すると判断すると、前記コンテンツ利用装置にコンテンツデータを提供する。
そして、前記コンテンツ利用装置が、前記コンテンツ提供装置から受けた前記コンテンツデータを利用する。
【００１４】
第６の発明のデータ処理方法は、コンテンツデータの利用が許可される場所を示す利用場所指定データとコンテンツ利用装置の位置を示す位置データとをコンテンツ利用装置からコンテンツ提供装置に提供する第１の工程と、前記第１の工程で前記コンテンツ利用装置から受けた前記利用場所指定データと前記位置データとを基に、前記コンテンツ利用装置への前記コンテンツデータの提供を許可するか否かを前記コンテンツ提供装置が判断する第２の工程と、前記第２の工程で前記許可すると判断すると、前記コンテンツ提供装置が前記コンテンツ利用装置に前記コンテンツデータを提供する第３の工程と、前記コンテンツ利用装置が前記第３の工程で受けた前記コンテンツデータを利用する第４の工程とを有する。
【００１５】
第６の発明のデータ処理方法の作用は以下のようになる。
先ず、第１の工程において、コンテンツデータの利用が許可される場所を示す利用場所指定データとコンテンツ利用装置の位置を示す位置データとをコンテンツ利用装置からコンテンツ提供装置に提供する。
次に、第２の工程において、前記第１の工程で前記コンテンツ利用装置から受けた前記利用場所指定データと前記位置データとを基に、前記コンテンツ利用装置への前記コンテンツデータの提供を許可するか否かを前記コンテンツ提供装置が判断する。
次に、第３の工程において、前記第２の工程で前記許可すると判断すると、前記コンテンツ提供装置が前記コンテンツ利用装置に前記コンテンツデータを提供する。
次に、第４の工程において、前記コンテンツ利用装置が前記第３の工程で受けた前記コンテンツデータを利用する。
【００１６】
第７の発明のデータ処理装置は、コンテンツデータを利用するデータ処理装置であって、コンテンツデータの利用が許可される場所を示す利用場所指定データと前記データ処理装置の位置を示す位置データとをコンテンツ提供装置に送信し、前記コンテンツ提供装置から前記コンテンツデータを受信するインタフェースと、前記インタフェースを介して受信した前記コンテンツデータを利用する処理手段とを有する。
【００１７】
第８の発明のプログラムは、コンテンツデータを利用するデータ処理装置によって実行されるプログラムであって、コンテンツデータの利用が許可される場所を示す利用場所指定データと前記データ処理装置の位置を示す位置データとをコンテンツ提供装置に送信する第１の手順と、前記第１の手順に続いて前記コンテンツ提供装置から前記コンテンツデータを受信する第２の手順と、前記第２の手順で受信した前記コンテンツデータを利用する第３の手順とを前記データ処理装置に実行させる。
【００１８】
第９の発明のデータ処理装置は、コンテンツデータの利用が許可される場所を示す利用場所指定データとコンテンツ利用装置の位置を示す位置データとをコンテンツ利用装置から受信するインタフェースと、前記インタフェースが受信した前記利用場所指定データと前記位置データとを基に、前記コンテンツ利用装置への前記コンテンツデータの提供を許可すると判断すると、前記インタフェースを介して前記コンテンツ利用装置に前記コンテンツデータを提供する処理手段とを有する。
【００１９】
第１０の発明のプログラムは、コンテンツデータをコンテンツ利用装置に提供するデータ処理装置によって実行されるプログラムであって、コンテンツデータの利用が許可される場所を示す利用場所指定データと前記コンテンツ利用装置の位置を示す位置データとを前記コンテンツ利用装置から受信する第１の手順と、前記第１の手順で受信した前記利用場所指定データと前記位置データとを基に、前記コンテンツ利用装置への前記コンテンツデータの提供を許可するか否かを判断する第２の手順と、前記第２の手順で前記許可すると判断すると、前記コンテンツ利用装置に前記コンテンツデータを提供する第３の手順とを前記データ処理装置に実行させる。
【００２０】
第１１の発明のデータ処理システムは、コンテンツ利用装置にコンテンツデータを提供するコンテンツ提供装置と、前記コンテンツ提供装置から受けた前記コンテンツデータを利用し、前記コンテンツ利用装置の位置を示す位置データと当該コンテンツ利用装置の識別データとを基に、前記コンテンツ利用装置による前記コンテンツデータの利用に対しての課金データを生成し、当該課金データを前記コンテンツ提供装置に提供する前記コンテンツ利用装置とを有する。
【００２１】
第１１の発明のデータ処理システムの作用は以下のようになる。
先ず、コンテンツ提供装置が、コンテンツ利用装置にコンテンツデータを提供する。
そして、コンテンツ利用装置が、前記コンテンツ提供装置から受けた前記コンテンツデータを利用し、前記コンテンツ利用装置の位置を示す位置データと当該コンテンツ利用装置の識別データとを基に、前記コンテンツ利用装置による前記コンテンツデータの利用に対しての課金データを生成する。
そして、コンテンツ利用装置が、上記生成した課金データを前記コンテンツ提供装置に提供する。
【００２２】
第１２の発明のデータ処理方法は、コンテンツ提供装置からコンテンツ利用装置にコンテンツデータを提供する第１の工程と、前記第１の工程で前記コンテンツ提供装置から受けた前記コンテンツデータを利用する第２の工程と、前記コンテンツ利用装置の位置を示す位置データと当該コンテンツ利用装置の識別データとを基に、前記第２の工程における前記コンテンツデータの利用に対しての課金データを生成する第３の工程と、前記第３の工程で生成した前記課金データを前記コンテンツ提供装置に提供する第４の工程とを有する。
【００２３】
第１３の発明のデータ処理装置は、コンテンツデータを利用するデータ処理装置であって、コンテンツデータを受信するインタフェースと、前記インタフェースを介して受信した前記コンテンツデータを利用し、前記データ処理装置の位置を示す位置データと当該データ処理装置の識別データとを基に、前記データ処理装置による前記コンテンツデータの利用に対しての課金データを生成し、当該課金データを前記インタフェースを介して送信する処理手段とを有する。
【００２４】
第１４の発明のプログラムは、コンテンツデータを利用するデータ処理装置によって実行されるプログラムであって、コンテンツデータを受信する第１の手順と、前記第１の手順で受信した前記コンテンツデータを利用する第２の手順と、前記コンテンツ利用装置の位置を示す位置データと当該コンテンツ利用装置の識別データとを基に、前記コンテンツ利用装置による前記コンテンツデータの利用に対しての課金データを生成し、当該課金データを前記インタフェースを介して送信する第３の手順とを前記データ処理装置に実行させる。
【００２５】
第１５の発明のデータ処理システムは、コンテンツ利用装置の位置を示す位置データと当該コンテンツ利用装置の識別データとをコンテンツ提供装置に提供し、前記コンテンツ提供装置から受けた前記コンテンツデータを利用する処理を行う前記コンテンツ利用装置と、前記コンテンツ利用装置に前記コンテンツデータを提供し、前記コンテンツ利用装置から受けた前記位置データおよび前記識別データを基に、予め決められた地域における前記コンテンツ利用装置による前記コンテンツデータの利用状況を特定し、当該特定した利用状況を基に前記コンテンツ利用装置による前記コンテンツデータの利用に対しての課金処理を行う前記コンテンツ提供装置とを有する。
【００２６】
第１５の発明のデータ処理システムの作用は以下のようになる。
コンテンツ提供装置が、コンテンツデータをコンテンツ利用装置に提供し、コンテンツ利用装置が当該コンテンツデータを利用する。
コンテンツ利用装置が、コンテンツ利用装置の位置を示す位置データと当該コンテンツ利用装置の識別データとをコンテンツ提供装置に提供する。
そして、コンテンツ提供装置が、前記コンテンツ利用装置から受けた前記位置データおよび前記識別データを基に、予め決められた地域における前記コンテンツ利用装置による前記コンテンツデータの利用状況を特定し、当該特定した利用状況を基に前記コンテンツ利用装置による前記コンテンツデータの利用に対しての課金処理を行う。
【００２７】
第１６の発明のデータ処理方法は、コンテンツ利用装置の位置を示す位置データと当該コンテンツ利用装置の識別データとを前記コンテンツ利用装置からコンテンツ提供装置に提供する第１の工程と、前記コンテンツ提供装置から前記コンテンツ利用装置に前記コンテンツデータを提供し、前記コンテンツ利用装置が前記コンテンツ提供装置から受けた前記コンテンツデータを利用する処理を行う第２の工程と、前記コンテンツ提供装置が、前記第１の工程で前記コンテンツ利用装置から受けた前記位置データおよび前記識別データを基に、予め決められた地域における前記コンテンツ利用装置による前記コンテンツデータの利用状況を特定し、当該特定した利用状況を基に前記コンテンツ利用装置による前記コンテンツデータの利用に対しての課金処理を行う第３の工程とを有する。
【００２８】
第１７の発明のデータ処理装置は、コンテンツ利用装置の位置を示す位置データと当該コンテンツ利用装置の識別データとを前記コンテンツ利用装置から受信するインタフェースと、前記インタフェースを介して前記コンテンツデータを前記コンテンツ利用装置に送信し、前記インタフェースを介して受信した前記位置データおよび前記識別データを基に、予め決められた地域における前記コンテンツ利用装置による前記コンテンツデータの利用状況を特定し、当該特定した利用状況を基に前記コンテンツ利用装置による前記コンテンツデータの利用に対しての課金処理を行う処理手段とを有する。
【００２９】
第１８の発明のプログラムは、コンテンツデータをコンテンツ利用装置に提供するデータ処理装置によって実行されるプログラムであって、前記コンテンツ利用装置に前記コンテンツデータを送信する第１の手順と、前記コンテンツ利用装置の位置を示す位置データと当該コンテンツ利用装置の識別データとを前記コンテンツ利用装置から受信する第２の手順と、前記第２の手順で受信した前記位置データおよび前記識別データを基に、予め決められた地域における前記コンテンツ利用装置による前記コンテンツデータの利用状況を特定し、当該特定した利用状況を基に前記コンテンツ利用装置による前記第１の手順で送信した前記コンテンツデータの利用に対しての課金処理を行う第３の手順とを前記データ処理装置に実行させる。
【発明の効果】
【００３０】
第１〜第１０の発明によれば、コンテンツデータの利用を予め指定した利用場所内に制限することを可能にするデータ処理システム、その方法、その装置およびそのプログラムを提供することができる。
また、第１１〜第１８の発明によれば、コンテンツデータが利用された場所に応じた金額を、当該ユーザに請求できるデータ処理システム、その方法、その装置およびそのプログラムを提供することができる。
【発明を実施するための最良の形態】
【００３１】
以下、本発明の実施の形態を図面を参照しながら説明する。
第１実施形態
第１実施形態は、第１〜第４の発明に対応している。
図１は、本発明の第１実施形態のコンテンツ配信システム１の全体構成図である。
図１に示すように、コンテンツ配信システム１は、例えば、店舗１２内に配設された処理装置１１と、車１４に配設された端末装置１５および位置検出装置１６と、サーバ１７とを有する。
コンテンツ配信システム１が第１の発明のデータ処理システムに対応し、処理装置１１が第１の発明の処理装置に対応している。
また、端末装置１５が、第１および第２の発明のコンテンツ利用装置、並びに第３および第４の発明のデータ処理装置に対応している。
また、サーバ１７が、第１および第２の発明のコンテンツ提供装置に対応している。
【００３２】
〔処理装置１１〕
処理装置１１は、メモリカード１０が装着されると、サービス画面を表示し、ユーザが利用を希望するコンテンツ、並びにその利用場所を当該ユーザが指定するための画面を提供する。
ユーザは、上記画面を見ながら、自らが利用を希望するコンテンツ、並びにその利用場所を処理装置１１に指定する。当該利用場所の指定方法としては、例えば、住所の入力、画面に表示された地図上での利用場所の指定などがある。
また、処理装置１１は、当該コンテンツの利用に対して当該ユーザとの間で決済処理を行う。当該決済において、処理装置１１は、コンテンツデータの利用場所に応じて異なる決済金額を規定している。
処理装置１１は、例えば、コンテンツデータが静岡県の観光情報である場合に、当該コンテンツデータを静岡県で利用する場合には決済額を￥５００とし、静岡県以外で利用する場合には￥２００とする。
処理装置１１は、上記指定された利用場所を示す利用場所指定データＵＡＩ（本発明の利用場所指定データ）、並びに決済証明データＳＡを生成し、これらをメモリカード１０のメモリに書き込む。
【００３３】
〔端末装置１５〕
端末装置１５は、端末装置１５によるサーバ１７から受信したコンテンツデータＣＯＮＴの利用が許可される場所を示す利用場所指定データＵＡＩと、位置検出装置１６から入力した位置データＬＤとを基に、当該コンテンツデータＣＯＮＴを利用可能であると判断すると、当該コンテンツデータＣＯＮＴの再生処理を行う。
【００３４】
図２は、図１に示す端末装置１５のハードウェア構成図である。
図２に示すように、端末装置１５は、例えば、インタフェース２１、カード装着部２２、メモリ２３、再生部２４および処理部（ＣＰＵ）２５を有し、これらがデータ線２０を介して接続されている。
インタフェース２１は、サーバ１７との間で無線によるデータ授受を行う。
ここで、インタフェース２１が第２の発明のインタフェースに対応し、再生部２４および処理部２５が第２の発明の処理手段に対応している。
【００３５】
カード装着部２２は、メモリカード１０を装着し、メモリカード１０のメモリにアクセスを行う。
メモリ２３は、処理部２５の処理を規定したプログラムＰＲＧ１（第４の発明のプログラム）、並びに処理部２５の処理に用いられる種々のデータを記憶する。
再生部２４は、ダウンロードしたコンテンツデータＣＯＮＴの再生処理を行う。
具体的には、再生部２４は、コンテンツデータＣＯＮＴを再生して、それに応じた画像および音声を出力する。
処理部２５は、プログラムＰＲＧ１を実行し、本実施形態における端末装置１５の処理を統括的に制御する。
【００３６】
〔位置検出装置１６〕
位置検出装置１６は、例えば、ＧＰＳ(Global Positioning System) の衛星１９からの信号を基に、自らの位置を検出し、当該位置を示す位置データ（本発明の位置データ）を端末装置１５に出力する。
【００３７】
〔サーバ１７〕
サーバ１７は、端末装置１５にコンテンツデータＣＯＮＴを、例えば無線で送信する。
図３は、図１に示すサーバ１７のハードウェア構成図である。
図３に示すように、サーバ１７は、例えば、インタフェース３１、メモリ３２および処理部（ＣＰＵ）３３を有し、これらがデータ線３０を介して接続されている。
インタフェース３１は、端末装置１５との間で無線によるデータ授受を行う。
メモリ３２は、処理部３３の処理を規定したプログラムＰＲＧ２、並びに処理部３３の処理に用いられる種々のデータを記憶する。
処理部３３は、プログラムＰＲＧ２を実行し、本実施形態におけるサーバ１７の処理を統括的に制御する。
【００３８】
〔動作例〕
以下、図１に示すコンテンツ配信システム１の動作例を説明する。
図４および図５は、本発明の第１実施形態に係わる図１に示すコンテンツ配信システム１の動作例を説明するための図である。
ステップＳＴ１：
例えば、ユーザは店舗１２に出向き、店舗１２に設置された処理装置１１に自らが所有するメモリカード１０を装着する。
ステップＳＴ２：
処理装置１１は、メモリカード１０が装着されると、サービス画面を表示し、ユーザが利用を希望するコンテンツ、並びにその利用場所を当該ユーザが指定するための画面を提供する。
ユーザは、上記画面を見ながら、自らが利用を希望するコンテンツ、並びにその利用場所を処理装置１１に指定する。
この場合に、処理装置１１は、当該コンテンツの利用に対して当該ユーザとの間で決済処理を行う。処理装置１１は、当該決済において、コンテンツデータの利用場所に応じて異なる決済金額を規定している。
【００３９】
ステップＳＴ３：
処理装置１１は、ステップＳＴ２で指定されたコンテンツの所在（サーバ１７のアドレス）を示すＵＬＩ(Uniform Resource Identifiers)と、利用場所を示す利用場所指定データＵＡＩと、当該コンテンツの利用に対しての決済が終了したことを示す決済証明データＳＡとを、メモリカード１０のメモリに書き込む。
ステップＳＴ４
ユーザは、処理装置１１からメモリカード１０を外し、自らの車１４に設置された端末装置１５の図２に示すカード装着部２２にメモリカード１０を装着する。
ステップＳＴ５：
端末装置１５は、例えば、ユーザからの操作指示に応じて、カード装着部２２を介してメモリカード１０のメモリから決済証明データＳＡとＵＲＩとを読み出し、処理部２５が当該ＵＲＩを基にインタフェース２１を介してサーバ１７にアクセスを行い、決済証明データＳＡを含むコンテンツ要求をサーバ１７に送信する。
端末装置１５は、カード装着部２２を介してメモリカード１０のメモリから利用場所指定データＵＡＩを読み出し、これを図２に示すメモリ２３に記憶する。
【００４０】
ステップＳＴ６：
サーバ１７は、図３に示すインタフェース３１を介してステップＳＴ５で受信したコンテンツ要求に応じて、当該コンテンツ要求に含まれる決済証明データＳＡの正当性を検証する。
サーバ１７は、上記決済証明データＳＡが正当であると確認した後に、コンテンツ要求に対応するコンテンツデータＣＯＮＴの端末装置１５によるダウンロードを許可する。
そして、端末装置１５は、インタフェース２１を介してコンテンツデータＣＯＮＴをダウンロードしてメモリ２３に記憶する。
【００４１】
ステップＳＴ７：
端末装置１５の処理部２５は、位置検出装置１６が検出した車１４の位置データＬＤを取得する。
ステップＳＴ８：
端末装置１５の処理部２５は、ステップＳＴ７で取得した位置データＬＤが示す位置が、メモリ２３に記憶する利用場所指定データＵＡＩが示す場所（領域）内にあるか否かを判断し、利用場所指定データＵＡＩが示す場所内であると判断するとステップＳＴ９に進み、そうでない場合にはステップＳＴ１０に進む。
【００４２】
ステップＳＴ９：
端末装置１５の処理部２５は、メモリ２３から読み出したコンテンツデータＣＯＮＴを再生部２４に再生させる。
処理部２５は、ステップＳＴ９の処理終了後に、ステップＳＴ８に戻る。
ステップＳＴ１０：
端末装置１５の処理部２５は、当該コンテンツデータＣＯＮＴについての再生部２４による再生を禁止する。
処理部２５は、ステップＳＴ１０の処理終了後に、ステップＳＴ８に戻る。
【００４３】
以上説明したように、コンテンツ配信システム１では、利用場所指定データＵＡＩで指定された場所でのみ、端末装置１５は、サーバ１７からダウンロードしたコンテンツデータＣＯＮＴを利用できる。
そのため、処理装置１１において、決済金額に応じて利用場所指定データＵＡＩが示す利用場所を規定することで、コンテンツデータＣＯＮＴの決済価格を、当該コンテンツデータＣＯＮＴの利用場所に応じて決定できる。
【００４４】
第２実施形態
第２実施形態は、第５〜第１０の発明に対応した実施形態である。
図１に示すように、コンテンツ配信システム１ａは、例えば、店舗１２内に配設された処理装置１１と、車１４に配設された端末装置１５ａおよび位置検出装置１６と、サーバ１７ａとを有する。
端末装置１５ａは、図２に示す構成を有し、サーバ１７ａは図３に示す構成を有している。
図１に示すコンテンツ配信システム１ａが第５の発明のデータ処理システムに対応している。
また、端末装置１５ａが、第５、第６、第９よび第１０の発明のコンテンツ利用装置、並びに第７および第８の発明のデータ処理装置に対応している。
また、サーバ１７が、第５および第６の発明のコンテンツ提供装置に対応している。
図２に示すインタフェース２１が第７の発明のインタフェースに対応し、処理部２５ａおよび再生部２４が第７の発明の処理手段に対応している。
また、図２に示す処理部２５ａが、プログラムＰＲＧ１ａ（第８の発明）を実行して、以下に示す端末装置１５ａの処理が規定される。
また、図３に示すインタフェース３１が第９の発明のインタフェースに対応し、処理部３３ａが第９の発明の処理手段に対応している。
また、図３に示す処理部３３ａが、プログラムＰＲＧ２ａ（第１０の発明）を実行して、以下に示す端末装置１５ａの処理が規定される。
【００４５】
〔動作例〕
以下、図１に示す本発明の第２実施形態に係わるコンテンツ配信システム１ａの動作例を説明する。
図６および図７は、本発明の第２実施形態に係わる図１に示すコンテンツ配信システム１ａの動作例を説明するための図である。
ステップＳＴ２１〜ＳＴ２４：
ステップＳＴ２１〜ＳＴ２４は、第１実施形態で図４を用いて説明したステップＳＴ１〜ＳＴ４と同じである。
ステップＳＴ２５：
端末装置１５ａは、例えば、ユーザからの操作指示に応じて、カード装着部２２を介してメモリカード１０のメモリから利用場所指定データＵＡＩ、決済証明データＳＡおよびＵＲＩを読み出し、処理部２５ａが当該ＵＲＩを基にインタフェース２１を介してサーバ１７にアクセスを行い、利用場所指定データＵＡＩおよび決済証明データＳＡを含むコンテンツ要求をサーバ１７ａに送信する。
【００４６】
ステップＳＴ２６：
端末装置１５ａの処理部２５ａは、位置検出装置１６が検出した車１４の位置データＬＤを取得する。
ステップＳＴ２７：
端末装置１５ａの処理部２５ａは、ステップＳＴ２６で取得した位置データＬＤを、インタフェース２１を介してサーバ１７ａに送信する。
ステップＳＴ２８：
サーバ１７ａの処理部３３ａは、ステップＳＴ２５で受信した決済証明データＳＡの正当性を検証し、正当である場合にステップＳＴ２９に進み、そうでない場合に処理を終了する。
ステップＳＴ２９：
サーバ１７ａの処理部３３ａは、ステップＳＴ２７で受信した位置データＬＤが示す位置が、ステップＳＴ２５で受信した利用場所指定データＵＡＩが示す場所（領域）内にあるか否かを判断し、利用場所指定データＵＡＩが示す場所内であると判断するとステップＳＴ３０に進み、そうでない場合にはステップＳＴ３２に進む。
【００４７】
ステップＳＴ３０：
サーバ１７ａの処理部３３ａは、コンテンツデータＣＯＮＴをストリーミングにより、インタフェース３１を介して端末装置１５ａに送信する。
処理部３３ａは、ステップＳＴ３０の処理終了後にステップＳＴ２９に戻る。
ステップＳＴ３１：
端末装置１５ａの処理部２５ａは、インタフェース２１を介してストリーミングにより受信したコンテンツデータＣＯＮＴを再生部２４に出力して再生させる。
ステップＳＴ３２：
サーバ１７ａの処理部３３ａは、ストリーミングによるコンテンツデータＣＯＮＴの送信を停止する。
処理部３３ａは、ステップＳＴ３２の処理終了後にステップＳＴ２９に戻る。
【００４８】
以上説明したように、コンテンツ配信システム１ａでは、車１４が利用場所指定データＵＡＩで指定された場所に位置する場合にのみ、サーバ１７ａから端末装置１５ａにコンテンツデータＣＯＮＴをストリーミングにより配信する。
そのため、処理装置１１において、決済金額に応じて利用場所指定データＵＡＩが示す利用場所を規定することで、コンテンツデータＣＯＮＴの価格を、当該コンテンツデータＣＯＮＴの利用場所に応じて決定できる。
【００４９】
第３実施形態
第３実施形態は、第１１〜第１４の発明に対応した実施形態である。
図８は、本発明の第３実施形態に係わるコンテンツ配信システム１ｂの構成図である。
図８に示すように、コンテンツ配信システム１ｂは、例えば、車１４に配設された端末装置１５ｂおよび位置検出装置１６と、サーバ１７ｂとを有する。
位置検出装置１６は、第１実施形態で説明したものと同じである。
図９は、図８に示す端末装置１５ｂのハードウェア構成図である。
図９に示すように、端末装置１５ｂは、例えば、インタフェース２１、メモリ２３、再生部２４および処理部２５ｂを有し、これらがデータ線２０を介して接続されている。
サーバ１７ｂは、図３に示す構成を有している。
図９に示す端末装置１５ｂの処理部２５ｂの機能、並びに図３に示すサーバ１７ｂの処理部３３ｂの機能は、以下に示すコンテンツ配信システム１ｂの動作例に関連付けて説明する。
【００５０】
図８に示すコンテンツ配信システム１ｂが第１１の発明のデータ処理システムに対応している。
また、端末装置１５ｂが、第１１および第１２の発明のコンテンツ利用装置、並びに第１３および第１４の発明のデータ処理装置に対応している。
また、サーバ１７ｂが、第１１および第１２の発明のコンテンツ提供装置に対応している。
図９に示すインタフェース２１が第１３の発明のインタフェースに対応し、処理部２５ｂおよび再生部２４が第１３の発明の処理手段に対応している。
また、図９に示す処理部２５ｂが、プログラムＰＲＧ１ｂ（第１４の発明）を実行して、以下に示す端末装置１５ｂの処理が規定される。
【００５１】
〔動作例〕
以下、図８に示す本発明の第３実施形態に係わるコンテンツ配信システム１ｂの動作例を説明する。
図１０は、本発明の第３実施形態に係わる図１に示すコンテンツ配信システム１ｂの動作例を説明するための図である。
ステップＳＴ４１：
端末装置１５ｂの処理部２５ｂは、ユーザの操作指示に応じて、端末装置１５ｂの識別データＩＤと、コンテンツを指定したサービス要求をインタフェース２１を介してサーバ１７ｂに送信する。
ステップＳＴ４２：
図３に示すサーバ１７ｂの処理部３３ｂは、ステップＳＴ４１で受けたサービス要求に応じて、指定されたコンテンツデータＣＯＮＴを端末装置１５ｂに送信する。
図９に示す端末装置１５ｂは、当該受信したコンテンツデータＣＯＮＴをメモリ２３に記憶する。
【００５２】
ステップＳＴ４３：
端末装置１５ｂは、位置検出装置１６からサーバ装置３の位置を示す位置データＬＤを取得する。
ステップＳＴ４４：
端末装置１５ｂの処理部２５ｂは、当該コンテンツデータＣＯＮＴに関してその利用場所に応じた課金額を示すテーブルデータを基に、当ステップＳＴ４３で取得した位置データＬＤが示す位置に対応する課金額を、前回生成した課金データＡＤが示す課金額に加算して新たな課金データＡＤを生成する。
【００５３】
ステップＳＴ４５：
端末装置１５ｂの処理部２５ｂは、ステップＳＴ４２で受信したコンテンツデータＣＯＮＴを再生部２４に再生させる。
ステップＳＴ４６：
端末装置１５ｂの処理部２５ｂは、ユーザから利用終了指示を受けたか否かを判断し、利用終了指示を受けたと判断するとステップＳＴ４７に進み、そうでない場合にはステップＳＴ４３に進む。
ステップＳＴ４７：
端末装置１５ｂの処理部２５ｂは、最新の課金データＡＤを、インタフェース２１を介してサーバ１７ｂに送信する。
ステップＳＴ４８：
サーバ１７ｂの処理部３３ｂは、ステップＳＴ４７で受信した課金データＡＤを基に、当該コンテンツデータＣＯＮＴの利用に関して端末装置１５ｂへの課金処理を行う。
【００５４】
以上説明したように、コンテンツ配信システム１ｂによれば、コンテンツデータＣＯＮＴの利用時には制約を与えず、その利用場所に応じた金額を端末装置１５ｂのユーザに課金できる。
【００５５】
第４実施形態
第４実施形態は、第１５〜第１８の発明の対応した実施形態である。
図８に示すように、コンテンツ配信システム１ｃは、例えば、車１４に配設された端末装置１５ｃおよび位置検出装置１６と、サーバ１７ｃとを有する。
また、図９に示すように、端末装置１５ｃは、例えば、インタフェース２１、メモリ２３、再生部２４および処理部２５ｃを有し、これらがデータ線２０を介して接続されている。
図９に示す端末装置１５ｃの処理部２５ｃの機能、並びに図３に示すサーバ１７ｃの処理部３３ｃの機能は、以下に示すコンテンツ配信システム１ｂの動作例に関連付けて説明する。
【００５６】
図８に示すコンテンツ配信システム１ｂが第１５の発明のデータ処理システムに対応している。
また、端末装置１５ｃが、第１５〜第１８の発明のコンテンツ利用装置に対応している。
また、サーバ１７ｃが、第１５および第１６の発明のコンテンツ提供装置、並びに第１７および第１８の発明のデータ処理装置に対応している。
図３に示すインタフェース３１が第１７の発明のインタフェースに対応し、処理部３３ｃおよび再生部２４が第１７の発明の処理手段に対応している。
また、図３に示す処理部３３ｃが、プログラムＰＲＧ２ｃ（第１８の発明）を実行して、以下に示すサーバ１７ｃの処理が規定される。
【００５７】
〔動作例〕
以下、図８に示す本発明の第３実施形態に係わるコンテンツ配信システム１ｃの動作例を説明する。
図１１は、本発明の第４実施形態に係わる図１に示すコンテンツ配信システム１ｃの動作例を説明するための図である。
ステップＳＴ５１：
端末装置１５ｃの処理部２５ｃは、ユーザの操作指示に応じて、端末装置１５ｃの識別データＩＤと、コンテンツを指定したサービス要求をインタフェース２１を介してサーバ１７ｃに送信する。
ステップＳＴ５２：
図３に示すサーバ１７ｃの処理部３３ｃは、ステップＳＴ５１で受けたサービス要求に応じて、コンテンツデータＣＯＮＴを端末装置１５ｃに送信する。
【００５８】
ステップＳＴ５３：
端末装置１５ｃの処理部２５ｃは、位置検出装置１６からサーバ装置３の位置を示す位置データＬＤを取得し、これを図９に示すインタフェース２１を介してサーバ１７ｃに送信する。
ステップＳＴ５４：
端末装置１５ｃの処理部２５ｃは、ステップＳＴ５２で受信したコンテンツデータＣＯＮＴを再生部２４に再生させる。
ステップＳＴ５５：
端末装置１５ｃの処理部２５ｃは、ユーザから利用終了指示を受けたか否かを判断し、受けていないと判断するとステップＳＴ５３に戻り、受けたと判断するとステップＳＴ５６に進む。
ステップＳＴ５６：
端末装置１５ｃの処理部２５ｃは、インタフェース２１を介して、利用終了指示をサーバ１７ｃに送信する。
【００５９】
ステップＳＴ５７：
サーバ１７ｃの処理部３３ｃは、コンテンツデータＣＯＮＴに関してその利用場所に応じた課金額を示すテーブルデータを基に、ステップＳＴ５３で受信した位置データＬＤが示す位置に対応する課金額を、前回生成した課金データＡＤが示す課金額に加算して新たな課金データＡＤを生成する。
ステップＳＴ５８：
サーバ１７ｃの処理部３３ｃは、端末装置１５ｃから利用終了指示を受信したか否かを判断し、受信したと判断するとステップＳＴ５９に進み、そうでない場合にはステップＳＴ５２に進む。
ステップＳＴ５９：
サーバ１７ｃの処理部３３ｃは、最新の課金データＡＤを基に、端末装置１５ｃのコンテンツデータＣＯＮＴの利用に対しての課金処理を行う。
【００６０】
以上説明したように、コンテンツ配信システム１ｂによれば、コンテンツデータＣＯＮＴの利用時には制約を与えず、その利用場所に応じた金額を端末装置１５ｂのユーザに課金できる。
【００６１】
本発明は上述した実施形態には限定されない。
上述した実施形態では、利用場所指定データＵＡＩのみを基にコンテンツデータの利用を制限する場合を例示したが、決済時に、利用期間を指定することで、利用場所に加えて利用期間も制限するようにしてもよい。
【産業上の利用可能性】
【００６２】
本発明は、端末などのコンテンツ利用装置の位置に応じてコンテンツデータの利用を制限するデータ処理システムに適用可能である。
【図面の簡単な説明】
【００６３】
【図１】図１は、本発明の第１および第２実施形態のコンテンツ配信システムの全体構成図である。
【図２】図２は、図１に示す端末装置のハードウェア構成図である。
【図３】図３は、図１に示すサーバのハードウェア構成図である。
【図４】図４は、本発明の第１実施形態に係わるコンテンツ配信システムの動作例を説明するための図である。
【図５】図５は、本発明の第１実施形態に係わるコンテンツ配信システムの動作例を説明するための図４の続きの図である。
【図６】図６は、本発明の第２実施形態に係わるコンテンツ配信システムの動作例を説明するための図である。
【図７】図７は、本発明の第１実施形態に係わるコンテンツ配信システムの動作例を説明するための図６の続きの図である。
【図８】図８は、本発明の第３および第４実施形態のコンテンツ配信システムの全体構成図である。
【図９】図９は、図８に示す端末装置のハードウェア構成図である。
【図１０】図１０は、本発明の第３実施形態に係わるコンテンツ配信システムの動作例を説明するための図である。
【図１１】図１は、本発明の第４実施形態に係わるコンテンツ配信システムの動作例を説明するための図である。
【符号の説明】
【００６４】
１，１ａ，１ｂ，１ｃ…コンテンツ配信システム、１０…メモリカード、１５，１５ａ，１５ｂ，１５ｃ…端末装置、１６…位置検出装置、１７，１７ａ，１７ｂ，１７ｃ…サーバ、２０…データ線、２１…インタフェース、２２…カード装着部、２３…メモリ、２４…再生部、２５，２５ａ，２５ｂ，２５ｃ…処理部、３０…データ線、３１…インタフェース、３２…メモリ、３３、３３ａ，３３ｂ，３３ｃ…処理部
【図１】
2005056204.tif 000003
【図２】
2005056204.tif 000004
【図３】
2005056204.tif 000005
【図４】
2005056204.tif 000006
【図５】
2005056204.tif 000007
【図６】
2005056204.tif 000008
【図７】
2005056204.tif 000009
【図８】
2005056204.tif 000010
【図９】
2005056204.tif 000011
【図１０】
2005056204.tif 000012
【図１１】
2005056204.tif 000013